(57)【要約】【課題】  誤接触が起きてもロック解除され難く、かつ、簡単な操作で光モジュールの挿脱が行えるようにする。【解決手段】  前方向端部に、通信装置に形成されたロック溝と係合するロック爪１６ｃが設けられると共に、後方向端部に、案内部１６ｄが設けられ、かつ、案内部１６ｄとロック爪１６ｃとの間の位置に揺動ピン２２が装着されたロック部材１６と、前方向端部に、案内部１６ｄと係合するロック解除爪１４ｂが設けられると共に、後方向端部に、リング状の指係止部１４ｃが設けられて、バネ２０により前方方向に付勢されたロックレバー１４と、光モジュール２の本体をなすベース体１０に固定されると共に、リング状の取手部１２ｃが設けられたハンドル１２と、を備え、取手部１２ｃは、指係止部１４ｃより適宜大きいリング寸法に形成されて、当該指係止部１４ｃを保護する。【選択図】      図１
2012194451.tif 000002
【特許請求の範囲】
【請求項１】
通信装置に装着される光モジュールを係止するための光モジュールのロック機構であって、
前方向端部に、前記通信装置に形成されたロック溝と係合するロック爪が設けられると共に、後方向端部に、案内部が設けられ、かつ、前記案内部と前記ロック爪との間の位置に揺動ピンが装着されたロック部材と、
前方向端部に、前記案内部と係合するロック解除爪が設けられると共に、後方向端部に、リング状の指係止部が設けられて、バネにより前方方向に付勢されたロックレバーと、
前記光モジュールの本体をなすベース体に固定されると共に、リング状の取手部が設けられたハンドルと、を備え、
前記取手部は、前記指係止部より適宜大きいリング寸法に形成されて、当該指係止部を保護することを特徴とする光モジュールのロック機構。
【請求項２】
請求項１に記載の光モジュールのロック機構であって、
前記案内部が、前記ロックレバーの先端領域から左右方向に突設する概略三角柱体であり、かつ、鋭角をなす前記柱体の一方の面が前記ロックレバーの移動面に平行で、他方の面が下方に傾斜した案内面を備え、
前記ロック解除爪が、前記案内面と対面するとスライド面を備えて、
前記ロックレバーの後方向の移動に伴い、前記スライド面が前記案内面に案内されて、前記ロック部材が前記揺動ピンを揺動軸として揺動して、前記ロック爪を前記ロック溝から待避させることを特徴とする光モジュールのロック機構。
【請求項３】
請求項１又は２に記載の光モジュールのロック機構であって、
前記ロックレバーが、前記案内部より所定量後方位置にロック保持部を備えて、前記ロックレバーが前記バネの力により前方向に移動した際に、前記ロック保持部が前記ロック部材の後端縁に当接して、当該ロック部材の揺動を規制することを特徴とする光モジュールのロック機構。
【請求項４】
請求項３に記載の光モジュールのロック機構であって、
前記ロック保持部が、テーパ面であることを特徴とする光モジュールのロック機構。
【請求項５】
請求項１乃至４のいずれか１項に記載の光モジュールのロック機構であって、
前記ロック部材は、板金加工により形成されていることを特徴とする光モジュールのロック機構。
【発明の詳細な説明】
【技術分野】
【０００１】
本発明は、光モジュールのロック機構に関する。
【背景技術】
【０００２】
近年、光通信装置においては、小型化及び高密度化の要求されている。光通信装置には、発光素子や受光素子を含む光トランシーバからなる光モジュールが、脱着可能に設けられている場合がある。従って、脱着機構を含めた光モジュールを小型化することが、通信装置に対する小型化及び高密度化の要求を実現する１つの方法である。
【０００３】
このとき、通信中に光モジュールが外れたりすると、通信が途絶え、また装置の故障原因となる。そこで、誤接触等により光モジュールが不用意に外れたりするのを防止するロック機構が提案されている。
【０００４】
例えば、特開２００４−１７０５９４号公報には、光モジュールが挿入される通信装置側の挿着口に係止孔を設け、また光モジュールにロック部材を設けると共に、係止孔に係止しているロック部を係止孔から外すようにロック部材を動かすレバーを設けた光モジュールのロック機構が開示されている。そして、レバーを引くと、ロック部が揺動して係止孔から外れることによりロックが解除される。また、ロックが解除された状態から更にレバーを引くと、光モジュールが取外される。従って、レバーを引く動作を行わなければロック状態が解除されないので、不用意に光モジュールが外れる事態が抑制できる。
【０００５】
また、特開２００８−２２５１３４号公報には、光トランシーバの挿脱方向にスライド
するレセプタクルに取付けられたグリップと、光トランシーバがレールに挿入されたときにレールに形成された係合孔に端部が係合するラッチ部材と、端部が係合孔と係合する方向にラッチ部材を付勢する弾性体と、グリップのスライド操作と連動してシーソ運動し、ラッチ部材を弾性体からの付勢力に抗して回動させて上記係合を解除するレバーとを備えた光トランシーバが開示されている。従って、グリップを操作する動作を行わなければロック状態が解除されないので、不用意に光モジュールが外れる事態が抑制できる。
【０００６】
さらに、特開２０１０−１０１９４４号公報には、ケースを収容するケージの係止孔に係止可能な係止突起を持つ揺動可能なロック部材と、ケースの抜き取り方向と平行にスライドするレバーと、レバーを所定の位置に付勢する付勢部材とを備えた光モジュールのロック機構が開示されている。
【０００７】
これにより、レバーを引くことによりロックが解除され、その状態で更にレバーを引くと光モジュールを引き抜くことができ、不用意に光モジュールが外れる事態が抑制できる。
【先行技術文献】
【特許文献】
【０００８】
【特許文献１】特開２００４−１７０５９４号公報
【特許文献２】特開２００８−２２５１３４号公報
【特許文献３】特開２０１０−１０１９４４号公報
【発明の概要】
【発明が解決しようとする課題】
【０００９】
しかしながら、特開２００４−１７０５９４号公報及び特開２０１０−１０１９４４号公報にかかる構成では、ロック解除手段が剥きだし状態であるため、誤接触等によりレバーを引っかけて、引いてしまう場合があった。
【００１０】
この点、特開２００８−２２５１３４号公報にかかる構成では、誤接触等によりレバーを引っかけるといった不都合はおき難い反面、グリップは長尺体の光モジュールにおいて横方向に突設されているので、グリップ操作と引き抜き操作とは別々な操作となり、光モジュールの取り外し操作が面倒になる問題があった。特に、高密度に光モジュール等が搭載される場合には、グリップ操作に必要な空間を確保することが困難である。
【００１１】
そこで、本発明の主目的は、誤接触が起きてもロック解除され難く、かつ、簡単な操作で光モジュールの挿脱が行える光モジュールのロック機構を提供することである。
【課題を解決するための手段】
【００１２】
上記課題を解決するため、光モジュールのロック機構は、前方向端部に、通信装置に形成されたロック溝と係合するロック爪が設けられると共に、後方向端部に、案内部が設けられ、かつ、案内部とロック爪との間の位置に揺動ピンが装着されたロック部材と、前方向端部に、案内部と係合するロック解除爪が設けられると共に、後方向端部に、リング状の指係止部が設けられて、バネにより前方方向に付勢されたロックレバーと、光モジュールの本体をなすベース体に固定されると共に、リング状の取手部が設けられたハンドルと、を備え、取手部は、指係止部より適宜大きいリング寸法に形成されて、当該指係止部を保護することを特徴とする。
【発明の効果】
【００１３】
本発明に依れば、取手部を指係止部より適宜大きい寸法に形成して、当該指係止部を保護するので、誤接触が起きてもロック解除され難く、かつ、簡単な操作で光モジュールの挿脱が行えるようになる。
【図面の簡単な説明】
【００１４】
【図１】本発明にかかる光モジュールの上面斜視図である。
【図２】光モジュールの上面斜視図である。
【図３】光モジュールの組み立て手順を示す分解斜視図である。
【図４】光モジュールの組み立て手順を示す図で、ベース体のバネ収納部にバネを挿入した図である。
【図５】光モジュールの組み立て手順を示す図で、ベース体にハンドル及びロックレバーを取り付けた図である。
【図６】光モジュールの組み立て手順を示す図で、ベース体にロック部材を取り付けた図である。
【図７】光モジュールの組み立て手順を示す図で、ベース体にカバーを取り付けた図である。
【図８】光モジュールのロック及びロック解除を説明する側面図で、(ａ)は光モジュールを挿入する際の状態を示す図、（ｂ）は通信装置にロックされた状態を示す図、（ｃ）は光モジュールを通信装置から引き抜く際の状態を示す図である。
【発明を実施するための形態】
【００１５】
本発明の実施形態を説明する。図１は、光モジュール２の上面斜視図であり、図２はその下面斜視図である。光モジュール２は、光トランシーバが内蔵されたベース体１０を備え、このベース体１０にハンドル１２、ロックレバー１４、ロック部材１６、カバー１８等が装着されている。なお、図１及び図２においては、光ファイバー等のケーブルコネクタ２１が装着されている。
【００１６】
図３は、このような光モジュール２の組み立て手順を示す分解斜視図である。以下の説明において、前方向、後方向、上下方向、左右方向の用語を用いる。これらの用語は、図１〜図３により定義される。なお、前方向は、挿入方向又は先端方向と記載する場合があり、後方向は引抜方向と記載する場合がある。図１〜図３においては、光モジュールが挿抜される通信装置を図示していないが、この通信装置は光モジュールの前方向（挿入方向）に位置する。
【００１７】
ベース体１０は、概略直方体の外観を持ち、その前方向の端部には通信装置と光モジュールとの電気的接続を行うための端子板１０ａが設けられ（図１参照）、後方向の端部にはケーブルコネクタ２１が装着されるコネクタ１０ｂが設けられている（図３参照）。
【００１８】
また、ベース体１０の上方向の面には、バネ２０を収納するバネ収納部１０ｃが形成され、左右方向からベース体１０を貫通するベース体側のピン穴１０ｄが形成されている。このピン穴１０ｄには揺動ピン２２が挿入される。
【００１９】
ハンドル１２は、通信装置に対して光モジュール２を挿脱する際に摘まれるレバーであり、リング状の取手部１２ａ、スライド部１２ｂ、抜止部１２ｃ、キー１２ｄを備えている。なお、本明細書において、リング状と記載する場合には、例えば、Ｃ字形状のように一部が欠けた形状が含まれる。取手部１２ａの後方向の端縁領域には抜止部１２ｃが形成され、前方向の端部領域にはスライド部１２ｂが形成されている。取手部１２ａがリング状に形成されているのは、後述するようにユーザが指をリングの内側に挿入することにより、光モジュールのロック解除及び引抜きが行えるようにするためである。スライド部１２ｂは、凹溝に形成されて、ロックレバー１４が前後運動する際のガイド溝として機能する。また、スライド部１２ｂの前方向には、概略直方体のキー１２ｄが左右方向に突設されている。
【００２０】
ロックレバー１４は、本体部１４ａ、本体部１４ａの前方向端部に設けられた案内部１４ｂ、後方向に設けられた指係止部１４ｃ、バネ止部１４ｄを備える。また、本体部１４ａは、スライダー１４ｅ、ロック保持部１４ｇを含んでいる。
【００２１】
案内部１４ｂは、本体部１４ａから左右方向に突設された概略三角柱体である。そして、鋭角をなす案内部１４ｂの一方の面が本体部１４ａの面（ロックレバー１４の移動面）に平行で、他方の面が下方に傾斜している。この傾斜した面を案内面１４ｆと記載する。バネ止部１４ｄは、本体部１４ａの下面に形成され、かつ、本体部１４ａの面と略直交している。
【００２２】
ロック保持部１４ｇは案内部１４ｂより所定量後方位置に形成されたテーパ面である。
【００２３】
ロック部材１６は、本体部１６ａ、側板１６ｂ、ロック爪１６ｃ、ロック解除爪１６ｄ、案内当接部１６ｅ、揺動ピン穴１６ｆを備える。
【００２４】
ロック部材１６の本体部１６ａの左右の側縁に側板１６ｂが設けられている。揺動ピン穴１６ｆは、ロック爪１６ｃとロック解除爪１６ｄとの中間位置の側板１６ｂを貫通することにより形成されている。
【００２５】
ロック爪１６ｃは、側板１６ｂの前方向の端部領域に形成されて、迎面１６ｇ及びロック面１６ｈを備える。迎面１６ｇは下方向に向かって後方向側に傾斜した面である。一方、ロック面１６ｈは本体部１６ａの面と略直交する面である。
【００２６】
ロック解除爪１６ｄは、側板１６ｂの後方向の端部領域に形成されて、本体部１６ａの面と鋭角をなすスライド面１６ｊを持つ。即ち、スライド面１６ｊは、ロックレバー１４の案内面１４ｆと対面する面である。
【００２７】
カバー１８は、本体部１８ａ、側板１８ｂ、ベース体１０にカバー１８を固定するためのビス板１８ｃ、キー嵌合穴１８ｄを備えて、ビス２３によりベース体１０に固定する。
【００２８】
なお、上述したロックレバー１４、ロック部材１６等の各部材は樹脂成形又は板金により形成することが可能である。しかし、ロック部材１６におけるロック爪１６ｃに対して摩耗や損傷が危惧される場合には、板金により形成することが好ましい。板金は、各部材の小型化に適し、かつ、小型化等した際に発生する強度不足の抑制が行える観点から好ましい。
【００２９】
次に、上述した光モジュール２の組み立て手順を説明する。図４〜図７は、この組み立て手順を示す図である。
【００３０】
先ず、ベース体１０のバネ収納部１０ｃにバネ２０を挿入する（図４参照）。その後、ハンドル１２のスライド部１２ｂにロックレバー１４のスライダー１４ｅを挿入しながら、これらをベース体１０に取り付ける（図５参照）。このとき、ロックレバー１４のバネ止部１４ｄでバネ２０を後方向に圧縮しながら取り付ける。
【００３１】
ハンドル１２とロックレバー１４とを取り付けると、ロックレバー１４の外側にハンドル１２が存在するようになる。そして、ロック解除を行う際にロックレバー１４が移動する方向には、抜止部１２ｃが位置する。従って、ユーザが不用意にロックレバー１４に接触しようとしてもロックレバー１４はハンドル１２により保護されるので、不用意に光モジュール２が取り外される事態が防止できる。
【００３２】
次に、ロック部材１６を取り付ける（図６参照）。ロック部材１６を取り付ける際には、ロック解除爪１６ｄがロックレバー１４の案内部１４ｂを包み込むように差し込む。このとき、バネ２０の一端がロックレバー１４のバネ止部１４ｄに当接して、ロックレバー１４を前方向に付勢しているので、ロックレバー１４はバネ収納部１０ｃから前方向に飛び出すようになる。そこで、組み立て時には、ロックレバー１４を押さえながら、ロック部材１６を組み込む。ロック部材１６を組み込んだ後、揺動ピン２２を挿入して、ロック部材１６をベース体１０に揺動自在に支持する。
【００３３】
ロック部材１６を組み立てた後、カバー１８でロックレバー１４を抑えながらベース体１０にビス２３により固定する（図７参照）。なお、カバー１８を取り付ける際には、キー嵌合穴１８ｄにキー２３を挿入する。これにより、ハンドル１２はカバー１８を介してベース体１０に固定される。
【００３４】
このようにして組み立てられた光モジュール２を通信装置に装着し、また通信装置から引き抜く際の動作を説明する。図８（ａ）は光モジュールを挿入する際の光モジュール２の側面図、図８（ｂ）は通信装置にロックされた光モジュール２の側面図、図８（ｃ）は光モジュール２を通信装置から引き抜く際の側面図である。なお、図８(ａ)〜図８（ｃ）においては、動作が容易に解るように、ベース体１０等は適宜省略している。
【００３５】
光モジュール２を通信装置に装着する場合には、ユーザは光モジュール２を通信装置に設けられているスロットに差し込む。このとき、人差し指をリング状の指係止部１４ｃに挿入して、人差し指と親指とでハンドル１２の抜止部１２ｃとロックレバー１４の指係止部１４ｃとを摘む。ハンドル１２とロックレバー１４とを挟むことにより、ロックレバー１４はバネ２０の力に抗して後方向に移動する。そして、抜止部１２ｃに指係止部１４ｃが当接して、移動が停止する。
【００３６】
ロックレバー１４の後方向に移動すると、ロックレバー１４の案内部１４ｂがロック部材１６のロック解除爪１６ｄに当接する。そして、更にロックレバー１４を後方移動させると、案内部１４ｂはロック解除爪１６ｄのスライド面１６ｊに沿って案内される。スライド面１６ｊは後退するロックレバー１４の案内面１４ｆに対してテーパをなすので、ロック部材１６は揺動ピン２２を揺動軸として、図８（ａ）において反時計回りの方向に傾く。従って、前方向に設けられているロック爪１６ｃは上方向に移動して、ロックされる通信装置のロック溝２４から離れる（図８（ａ）参照）。
【００３７】
この状態で、ユーザが指を離すと、バネ２０の復元力でロックレバー１４が前方向に移動し、ロック爪１６ｃがロック溝２４に係合して光モジュール２はロックされる（図８（ｂ）参照）。
【００３８】
また、バネ２０によりロックレバー１４が前方方向に移動すると、ロック保持部１４ｇがロック部材１６の本体部１６ａに当接する。図８（ｂ）の拡大図において点線Ｋは、本体部１６ａの下面を示し、この下面の端縁にロック保持部１４ｇが当接している。従って、ロック部材１６は揺動することができなくなり、ロック状態が維持される。また、ロック保持部１４ｇはテーパ面をなすので、ロック保持部１４ｇは滑らか、かつ、確実に本体部１６ａの下面端縁に当接するようになり、ロック状態の保持に対する信頼性が向上する。
【００３９】
このロック状態を解除して光モジュール２を引き抜くときは、光モジュール２を装着するときと同様に、人差し指と親指とで、抜止部１２ｃと指係止部１４ｃとを摘んで、ロック爪１６ｃを上方向に移動させる（図８（ｃ）参照）。
【００４０】
以上説明したように、ロックレバー１４はハンドル１２により保護されるので、不用意に光モジュール２が取り外される事態が防止できき、かつ、ロックレバー１４を後方に移動させるだけでロック解除ができるので、光モジュールの挿脱が容易に行えるようになる。
【符号の説明】
【００４１】
２    光モジュール
１０    ベース体
１０ａ    端子板
１０ｂ    コネクタ
１０ｃ    バネ収納部
１０ｄ    ピン穴
１２    ハンドル
１２ａ    取手部
１２ｂ    スライド部
１２ｃ    抜止部
１２ｄ    キー
１４    ロックレバー
１４ａ    本体部
１４ｂ    案内部
１４ｃ    指係止部
１４ｄ    バネ止部
１４ｅ    スライダー
１４ｆ    案内面
１４ｇ    ロック保持部
１６    ロック部材
１６ａ    本体部
１６ｂ    側板
１６ｃ    ロック爪
１６ｄ    ロック解除爪
１６ｅ    案内当接部
１６ｆ    揺動ピン穴
１６ｇ    迎面
１６ｈ    ロック面
１６ｊ    スライド面
１８    カバー
１８ａ    本体部
１８ｂ    側板
１８ｃ    ビス板
１８ｄ    キー嵌合穴
２０    バネ
２２    揺動ピン
【図１】
2012194451.tif 000003
【図２】
2012194451.tif 000004
【図３】
2012194451.tif 000005
【図４】
2012194451.tif 000006
【図５】
2012194451.tif 000007
【図６】
2012194451.tif 000008
【図７】
2012194451.tif 000009
【図８】
2012194451.tif 000010